(57)【要約】【課題】二次元コード読み取りと一般カメラの機能を共用する画像データ読み取り装置及び画像データ読み取り方法を提供する【解決手段】画像データ読み取り装置は、二次元コードの読み取りを、携帯電話等の情報処理機器のカメラと同一のセンサーを使って行う。二次元コードの読み取り解像度を落とすことのない非球面レンズ１１の一例を示す。携帯電話のカメラは、３０ｃｍ以上の焦点深度を持ったレンズを用いているが、非球面レンズ１１は、接写（１ｃｍ以上）をしても読み取り解像度を落とすことがない。この非球面レンズ１１を携帯電話等の情報処理機器に搭載し、画像データ読み取り装置として用いる。【選択図】　　　図１
2004004168.tif 000002
【特許請求の範囲】
【請求項１】
二次元コードの読み取り解像度を落とすことのないカメラ用の非球面レンズを備えることを特徴とする画像データ読み取り装置。
【請求項２】
カメラ用のレンズと、
該レンズに装着するアタッチメントレンズ
とを備え、二次元コードの読み取り解像度を落とすことのないことを特徴とする画像データ読み取り装置。
【請求項３】
画像データを読み取るステップと、
前記画像データに二次元コード用パターンがあるか否か判定するステップと、前記二次元コード用パターンがある場合、二次元コード用ソフトウェアを使用して、前記画像データを変換するステップ
とを含むことを特徴とする画像データ読み取り方法。
【発明の詳細な説明】
【０００１】
【発明の属する技術分野】
本発明は、画像データ読み取り装置及び画像データ読み取り方法に関する。
【０００２】
【従来の技術】
従来、二次元コードの読み取りは、受光素子が四角く並んだエリアセンサーや一列に並んだラインセンサーを用いた画像処理によって行われている。読み取り解像度確保のため、二次元コード読み取り装置の焦点距離（ワークディスタンス）は、一般カメラの焦点深度領域以下の非常に短いものとなっている
【０００３】
【発明が解決しようとする課題】
このため、一般カメラの代わりとして普及し始め、携帯電話端末にも搭載されているＣＣＤやＣＭＯＳセンサーと同じようなディテクターを使用しながらも、二次元コード読み取り装置は、一般カメラの機能を搭載することができなかった。
【０００４】
そこで、上記問題を鑑み、本発明は、二次元コード読み取りと一般カメラの機能を共用する画像データ読み取り装置及び画像データ読み取り方法を提供することを目的とする。
【０００５】
【課題を解決するための手段】
上記目的を達成するため、本発明の第１の特徴は、二次元コードの読み取り解像度を落とすことのないカメラ用の非球面レンズを備える画像データ読み取り装置であることを要旨とする。ここで、「画像データ」とは、カメラ画像及び二次元コード画像等を含む画像データを指す。
【０００６】
第１の特徴に係る画像データ読み取り装置によると、二次元コードの読み取りと一般カメラ機能の共用が可能になり、二次元コードを用いたビジネスやサービスが市場に広がり発展することができる。
本発明の第２の特徴は、（イ）カメラ用のレンズと、（ロ）レンズに装着するアタッチメントレンズとを備え、二次元コードの読み取り解像度を落とすことのない画像データ読み取り装置であることを要旨とする。
【０００７】
第２の特徴に係る画像データ読み取り装置によると、既存のカメラレンズにアタッチメントレンズを装着することにより、二次元コードの読み取りと一般カメラ機能の共用が可能になり、二次元コードを用いたビジネスやサービスが市場に広がり発展することができる。
【０００８】
本発明の第３の特徴は、（イ）画像データを読み取るステップと、（ロ）画像データに二次元コード用パターンがあるか否か判定するステップと、（ハ）二次元コード用パターンがある場合、二次元コード用ソフトウェアを使用して、画像データを変換するステップとを含む画像データ読み取り方法であることを要旨とする。
【０００９】
第３の特徴に係る画像データ読み取り方法によると、二次元コードの読み取りと一般カメラ機能の共用が可能になり、二次元コードを用いたビジネスやサービスが市場に広がり発展することができる。
【００１０】
【発明の実施の形態】
次に、図面を参照して、本発明の第１〜第２の実施の形態を説明する。以下の図面の記載において、同一又は類似の部分には同一又は類似の符号を付している。ただし、図面は模式的なものであることに留意すべきである。
【００１１】
（第１の実施の形態）
本発明の第１の実施の形態に係る画像データ読み取り装置は、二次元コードの読み取りを、携帯電話等の情報処理機器のカメラと同一のセンサーを使って行う。
【００１２】
図１に、二次元コードの読み取り解像度を落とすことのない非球面レンズ１１の一例を示す。携帯電話のカメラは、３０ｃｍ以上の焦点深度を持ったレンズを用いているが、図１に示す非球面レンズ１１は、接写（１ｃｍ以上）をしても読み取り解像度を落とすことがない。この非球面レンズ１１を携帯電話等の情報処理機器に搭載し、画像データ読み取り装置として用いる。
【００１３】
次に、第１の実施の形態に係る画像データ読み取り方法について、図２を用いて説明する。
【００１４】
（イ）まず、ステップＳ１０１において、情報処理機器のレンズを通して、画像データの読み取りを行う。このとき、読み取った画像データはメモリ等に一時的に保存される。
【００１５】
（ロ）次に、ステップＳ１０２において、読み取った画像データに二次元コード用の特定のパターンがあるか判断する。パターンがない場合は、ステップＳ１０３に進み、画像データはカメラ画像であると認識し、カメラ画像用ソフトウェアを使用して画像データを変換する。
【００１６】
（ハ）ステップＳ１０２において、パターンがある場合は、ステップＳ１０４に進み、画像データは二次元コードであると認識し、二次元コード用ソフトウェアを使用する。カメラ画像用ソフトウェアと二次元コード用ソフトウェアは、ディテクターの読み取りソフトのパラメータを切り替えることによって行われる。
【００１７】
（ニ）次に、ステップＳ１０５において二次元コードをデジタル変換し、ステップＳ１０６において、サーバへ送信する。このとき、デジタル変換されたデータをメモリに蓄え、ファームウエア上の個人情報とパッケージした状態でサーバへ送信する。
【００１８】
第１の実施の形態に係る画像データ読み取り方法によると、二次元コードの読み取りと一般カメラ機能の共用が可能になり、二次元コードを用いたビジネスやサービスが市場に広がり発展することができる。
（第２の実施の形態）
本発明の第２の実施の形態では、携帯電話等の情報処理機器に既に装着してあるカメラのレンズに、アタッチメントレンズを装着することにより、２次元コード読み取り機能を付加する。
【００１９】
アタッチメントレンズは、図１で示した非球面レンズ１１等を用いる。非球面レンズ１１等を既存のカメラレンズに装着すると、接写（１ｃｍ以上）をしても読み取り解像度を落とすことがない。これにより、カメラ画像だけでなく、二次元コードを採取することができる。
【００２０】
第２の実施の形態に係る画像データ読み取り装置については、アタッチメントレンズの開発だけでなく、補正用画像処理ソフトウェアも同時に開発し、アタッチメントレンズ搭載時には、ディテクターの読み取りソフトのパラメーターを切り替え、二次元コードの読み取りを行う。読み取られたデータはデジタル変換した上でメモリに蓄えられ、ファームウエア上の個人情報とパッケージした状態で、サーバへ送信される。
【００２１】
第２の実施の形態に係る画像データ読み取り方法は、図２と同様であるのでここでは説明を省略する。
【００２２】
第２の実施の形態に係る画像データ読み取り方法によると、既存のカメラレンズにアタッチメントレンズを装着することにより、二次元コードの読み取りと一般カメラ機能の共用が可能になり、二次元コードを用いたビジネスやサービスが市場に広がり発展することができる。
【００２３】
（その他の実施の形態）
本発明は第１及び第２の実施の形態によって記載したが、この開示の一部をなす論述及び図面はこの発明を限定するものであると理解すべきではない。この開示から当業者には様々な代替実施の形態、実施例及び運用技術が明らかとなろう。
【００２４】
第１及び第２の実施の形態においては、情報処理機器として携帯電話を用いて説明したが、情報処理機器は携帯電話とは限らない。カメラ機能を持つ情報処理機器として、携帯電話の他に、ＰＨＳ、ＰＤＡ、ノートパソコン、電子手帳等が考えられる。又、デジタルカメラを含むカメラ、カメラ機能を備えたゲーム機、カーナビゲーション機器、スキャナー、プリンタ等の電子機器でも構わない。更に、カメラ機能を備えた腕時計、眼鏡など身体に装着又は携行可能なものでも構わない。更に、カメラ機能を備えたデスクトップパソコン、テレビジョンなどの電化製品でも構わない。
【００２５】
この様に、本発明はここでは記載していない様々な実施の形態等を含むことは勿論である。したがって、本発明の技術的範囲は上記の説明から妥当な特許請求の範囲に係る発明特定事項によってのみ定められるものである。
【００２６】
【発明の効果】
本発明によれば、二次元コード読み取りと一般カメラの機能を共用する画像データ読み取り装置及び画像データ読み取り方法を提供することができる。
【図面の簡単な説明】
【図１】第１及び第２の実施の形態に係る非球面レンズの模式図である。
【図２】第１及び第２の実施の形態に係る画像データ読み取り方法のフローチャートである。
【符号の説明】
１１　非球面レンズ
【図１】
2004004168.tif 000003
【図２】
2004004168.tif 000004